(57)【要約】【課題】簡易な制御でロール振動の発生を効果的に抑制できる車両挙動制御装置を提供する。【解決手段】車両挙動制御装置１では、車両のロール角、ヨー角、横力、上下変位に基づいて車両におけるロール振動の発生の有無を判断し、ロール振動の発生を検出した場合、内輪の横力Ｆinよりも外輪の横力Ｆoutを減少させる。これにより、車両と路面との横方向μが低下し、車両の横滑りが生じるため、ロール振動時に車両の外輪側で発生する上下方向の運動エネルギーを、車両が旋回外側にシフトする方向の運動エネルギーに変換することが可能となり、ロール振動が効果的に抑制される。また、横力の制御にあたり、普及率の高まっているＶＳＣ制御部１０による各車輪のブレーキ圧制御を用いることで、高い応答性を確保しつつ、制御手段の複雑化を回避できる。【選択図】図４
2008012965.tif 000002
【特許請求の範囲】
【請求項１】
少なくとも車両のロール角、ヨー角、上下変位、横力に基づいて前記車両におけるロール振動の発生の有無を判断するロール振動発生判断手段と、
前記ロール振動発生判断手段によりロール振動が発生すると判断された場合に、前記車両の内輪の横力よりも外輪の横力を減少させて前記ロール振動を抑制する振動抑制手段とを備えた車両挙動制御装置。
【請求項２】
前記振動抑制手段は、前記内輪の制動力よりも前記外輪の制動力を増大させることにより、前記内輪の横力よりも前記外輪の横力を減少させる請求項１記載の車両挙動制御装置。
【請求項３】
前記振動抑制手段は、前記内輪の操舵角よりも前記外輪の操舵角を減少させることにより、前記内輪の横力よりも前記外輪の横力を減少させる請求項１記載の車両挙動制御装置。
【請求項４】
少なくとも車両のロール角、ヨー角、上下変位、横力に基づいて前記車両におけるロール振動の発生の有無を判断するロール振動発生判断手段と、
前記ロール振動発生判断手段によりロール振動が発生すると判断された場合に、前記車両の後輪の横力よりも前輪の横力を減少させて前記ロール振動を抑制する振動抑制手段とを備えた車両挙動制御装置。
【請求項５】
車両の重心高さ及び角速度によって算出されるパラメータに基づいて前記車両におけるロール振動の発生の有無を判断するロール振動発生判断手段と、
前記ロール振動発生判断手段によりロール振動が発生すると判断された場合に、前記車両の内輪の横力よりも外輪の横力を減少させて前記ロール振動を抑制する振動抑制手段とを備えた車両挙動制御装置。
【発明の詳細な説明】
【技術分野】
【０００１】
本発明は、車両の挙動を制御する車両挙動制御装置に関する。
【背景技術】
【０００２】
従来、車両挙動制御に関するものとして、車両の横加速度を常時検出し、その横加速度に基づいて車両のロール振動を予測することにより、車両の転倒の危険性を評価するものが知られている（例えば特許文献１参照）。この評価手法は、車両の制御介入操作の開始だけでなく、常時横加速度を監視することにより、車両の横転の危険をより確実に評価しようとするものである。
【特許文献１】特表２００４−５０９００５号公報
【発明の開示】
【発明が解決しようとする課題】
【０００３】
このような車両挙動制御にあっては、ロール振動を検出した後、ロール振動を抑制するために車両における種々のパラメータ制御が検討されている。一般的には、制御するパラメータの数が増えれば、より確実なロール振動の抑制が可能となると考えられるが、多くの制御手段を車両に搭載せざるを得なくなり、コスト高の割にロール振動の抑制効果が期待できない場合がある。そこで、簡易な制御でロール振動を効果的に抑制できる技術が望まれている。
【０００４】
本発明は、上記課題の解決のためになされたものであり、簡易な制御でロール振動の発生を効果的に抑制できる車両挙動制御装置を提供することを目的とする。
【課題を解決するための手段】
【０００５】
上記課題の解決のため、本発明に係る車両挙動制御装置は、少なくとも車両のロール角、ヨー角、上下変位、横力に基づいて車両におけるロール振動の発生の有無を判断するロール振動発生判断手段と、ロール振動発生判断手段によりロール振動が発生すると判断された場合に、車両の内輪の横力よりも外輪の横力を減少させてロール振動を抑制する振動抑制手段とを備えたことを特徴としている。
【０００６】
この車両挙動制御装置では、車両のロール角、ヨー角、横力、上下変位に基づいて車両におけるロール振動の発生の有無を判断することにより、車両のロール方向、ヨー方向、横方向及び上下方向の４自由度運動の連成により生ずる旋回中のロール振動発散現象の発生を精度良く予測することができる。そして、この車両挙動制御装置では、ロール振動の発生を検出した場合、内輪の横力よりも外輪の横力を減少させる。これにより、車両と路面との横方向の摩擦係数が低下し、車両の横滑りが生じるため、ロール振動時に車両の外輪側で発生する上下方向の運動エネルギーを、車両が旋回外側にシフトする方向の運動エネルギーに変換することが可能となり、ロール振動が効果的に抑制される。また、制御するパラメータは車輪の横力のみであるため、多くの制御手段を車両に搭載する必要はなく、制御が複雑化することもない。このことは、車両の製造コスト低減を実現する。
【０００７】
また、振動抑制手段は、内輪の制動力よりも外輪の制動力を増大させることにより、内輪の横力よりも外輪の横力を減少させることが好ましい。この場合、車両のブレーキ制御によって内輪の横力よりも外輪の横力を減少させるので、高い応答性が得られる。また、ブレーキ制御として、例えば普及率の高まっているＶＳＣ（Vehicle Stability Control）システムを用いることで、制御手段の複雑化を回避できる。
【０００８】
また、振動抑制手段は、内輪の操舵角よりも外輪の操舵角を減少させることにより、内輪の横力よりも外輪の横力を減少させることが好ましい。この場合、外輪のスリップ角を減少させることでロール振動を抑制しつつ、内輪のスリップ角を確保することで車両の旋回性能の低下を抑制できる。
【０００９】
また、本発明に係る車両挙動制御装置は、少なくとも車両のロール角、ヨー角、上下変位、横力に基づいて車両におけるロール振動の発生の有無を判断するロール振動発生判断手段と、ロール振動発生判断手段によりロール振動が発生すると判断された場合に、車両の後輪の横力よりも前輪の横力を減少させてロール振動を抑制する振動抑制手段とを備えたことを特徴としている。
【００１０】
この車両挙動制御装置では、後輪の横力よりも前輪の横力を減少させることで、車両のアンダーステアリング特性を高め、車両と路面との横方向の摩擦係数を低下させることができる。これにより、ロール振動時に車両の外輪側で発生する上下方向の運動エネルギーを、車両が旋回外側にシフトする方向の運動エネルギーに変換することが可能となり、ロール振動の抑制が図られる。また、多くの制御手段を車両に搭載する必要はなく、簡易な制御によってロール振動の抑制効果が得られる。
【００１１】
また、本発明に係る車両挙動制御装置は、車両の重心高さ及び角速度によって算出されるパラメータに基づいて車両におけるロール振動の発生の有無を判断するロール振動発生判断手段と、ロール振動発生判断手段によりロール振動が発生すると判断された場合に、車両の内輪の横力よりも外輪の横力を減少させてロール振動を抑制する振動抑制手段とを備えたことを特徴としている。
【００１２】
この車両挙動制御装置では、車両の重心高さ及び角速度によって算出されるパラメータにより、簡易な振動モデルを用いてロール振動の発生の有無を判断するので、制御ロジックの簡易化を図ることができる。
【発明の効果】
【００１３】
本発明に係る車両挙動制御装置によれば、簡易な制御でロール振動の発生を効果的に抑制できる。
【発明を実施するための最良の形態】
【００１４】
以下、図面を参照しながら、本発明に係る車両挙動制御装置の好適な実施形態について詳細に説明する。
【００１５】
（第１実施形態）
図１は、本発明の第１実施形態に係る車両挙動制御装置の構成を示す図である。図１に示すように、車両挙動制御装置１は、搭載先の車両の挙動制御を行う装置であって、旋回走行時における車両のロール振動を抑制して車両挙動の安定性を図るものである。車両挙動制御装置１には、ＥＣＵ（Electronic Control Unit）２が設けられている。ＥＣＵ２は、装置全体の制御を行う電子制御ユニットであり、例えばＣＰＵを主体として構成され、ＲＯＭ、ＲＡＭ、入力信号回路、出力信号回路、電源回路などを備えている。
【００１６】
ＥＣＵ２は、車両のロール角、ヨー角、上下変位、横力に基づいて車両におけるロール振動の発生の有無を判断するロール振動発生判断手段として機能する。また、ＥＣＵ２は、車両にロール振動が発生すると判断した場合に、車両の各車輪のブレーキ圧を調整してロール振動を抑制する振動抑制手段として機能する。
【００１７】
また、ＥＣＵ２には、車速センサ３、操舵角センサ４、横加速度センサ５、ヨーレイトセンサ６、ロール角センサ７、及び上下加速度センサ８が接続されている。車速センサ３は、車両の走行速度を検出する車速検出手段として機能するものであり、例えば車輪速センサが用いられる。車速センサ３の検出信号は、ＥＣＵ２に入力される。操舵角センサ４は、車両のハンドルの操舵角を検出する操舵角検出手段として機能するものであり、例えばハンドルに連結されるステアリングシャフトの回転状態を検出するものが用いられる。操舵角センサ４の検出信号は、ＥＣＵ２に入力される。
【００１８】
横加速度センサ５は、車両の横方向、すなわち車幅方向に加わる加速度を検出する横加速度検出手段として機能するものである。横加速度センサ５の検出信号は、ＥＣＵ２に入力される。ＥＣＵ２には、ヨーレイトセンサ６が接続されている。ヨーレイトセンサ６は、車両のヨー角を検出するヨーレイト検出手段として機能するものである。ヨーレイトセンサ６の検出信号は、ＥＣＵ２に入力される。
【００１９】
ロール角センサ７は、車両のロール角度を検出するロール検出手段として機能するものである。ロール角センサ７の検出信号は、ＥＣＵ２に入力される。上下加速度センサ８は、車両の上下方向の加速度を検出する上下加速度検出手段として機能するものである。上下加速度センサ８の検出信号は、ＥＣＵ２に入力される。この上下加速度センサ８の出力に基づいて車両重心の上下方向の変位量を算出することができる。
【００２０】
さらに、ＥＣＵ２には、ＶＳＣ制御部１０が接続されている。ＶＳＣ制御部１０は、車両の各車輪におけるブレーキ圧を独立して制御可能な制御ユニットであり、例えばＶＳＣ制御用ＥＣＵが用いられる。ＶＳＣ制御部１０は、ＥＣＵ２からの作動制御信号を受けて、各車輪に加わるブレーキ圧を調整する。
【００２１】
ここで、車両のロール運動・上下運動・横運動・ヨー運動について、図２及び図３を参照しながら説明する。
【００２２】
図２に示すように、車両は、旋回中にロール方向、上下方向に運動する。車両は、旋回外側が低くなるようにロールし、旋回の状態に応じて上下動する。このとき、車両は、重心を中心としてロール角φでロールし、外輪には横力Ｆout、内輪には横力Ｆinが加わる。図２中のｍは質量、ｈは車高、Ｉφはロール慣性モーメントである。
【００２３】
また、図３に示すように、車両は、旋回中にヨー方向、横方向に運動する。車両の前輪には横力Ｆlが加わり、後輪には横力Ｆrが加わる。また、車両は、その重心を中心にヨー運動する。図３中のＬｆはホイルベースにおける車体重心と後輪との距離、Ｌｒはホイルベースにおける車体重心と前輪との距離である。Ｖは車速、βは車体スリップ角である。
【００２４】
次に、上述した車両挙動制御装置１の動作について、図４に示すフローチャートを参照しながら説明する。以下に示す一連の制御処理は、ＥＣＵ２によって所定の周期で繰り返し実行される。
【００２５】
まず、Ｓ１００に示すように、センサ検出値の読み込み処理が行われる。この処理は、車両の状態を検出するセンサの検出値を読み込む処理であり、上述した車速センサ３、操舵角センサ４、横加速度センサ５、ヨーレイトセンサ６、ロール角センサ、７及び上下加速度センサ８の各センサの検出値が読み込まれる。
【００２６】
次に、Ｓ１０２に移行し、車両の旋回走行によって生ずる上下加速度（上下Ｇ）がＧｚ以下であるか否かが判断される。Ｇｚは、予めＥＣＵ２に設定される設定値である。Ｓ１０２において、車両の旋回走行によって生ずる上下加速度がＧｚ以下であると判断された場合には、続けて横加速度（横Ｇ）がＬＡ以下であるか否かが判断される（Ｓ１０４）。ＬＡは、予めＥＣＵ２に設定される設定値である。また、車両が旋回走行しているか否かは、操舵角センサ４の検出値などに基づいて判断される。Ｓ１０４において、横加速度がＬＡ以下であると判断された場合には、車両挙動安定処理（Ｓ１１２）の後、一連の制御処理を終了する。車両挙動安定化処理は、車両挙動が安定していることを記録する処理であり、例えば車両挙動安定フラグがセットされる。
【００２７】
一方、Ｓ１０２において、上下加速度がＧｚ以下でないと判断された場合、或いは、Ｓ１０４において、横加速度がＬＡ以下でないと判断された場合には、ロール振動判定式の演算処理が行われる（Ｓ１０６）。このロール振動判定式演算処理は、車両に所定以上のロール振動が生ずるか否かを判定するロール振動判定式を演算して生成する処理である。
【００２８】
このロール振動判定式は、車両の上下変位、ロール角、ヨー角、横力に基づいて設定される式であり、例えば、次の式（１）が用いられる。
Ａ０・ｓ６＋Ａ１・ｓ５＋Ａ２・ｓ４＋Ａ３・ｓ３＋Ａ４・ｓ２＋Ａ５・ｓ＋Ａ６＝０ …(1)
【００２９】
式（１）は、次の式（２）に示す４自由度運動方程式における６次の特性方程式として導き出されるものである。この運動方程式の特性方程式を解くことにより、車体のロール振動が発生するか否かを判断することができる。式（１）において、Ａ０〜Ａ６は、車両の上下変位、ロール角、ヨー角、横力に基づいて決定される係数である。ｓは、ラプラス演算子である。
【数１】
2008012965.tif 000003
【００３０】
式（２）は、車両の上下変位、ロール変位、ヨー変位、横変位の４自由度系の連成運動についての運動方程式である。式（２）において、ｍは車体の質量、Ｃはサスペンションの減衰係数、ｋｌはサスペンションの左車輪側の剛性、ｋｒはサスペンションの右車輪側の剛性、Ｌは車両の前後トレッドの平均値の１／２の値、Ｕｚは車体の上下変位量、Ｉφは車体のロール慣性モーメント、Ｃφはロール減衰係数、φ（ｓ）はロール角、Ｆoutは旋回外輪に加わる横力、Ｆinは旋回内輪に加わる横力、ｈはバネ下位置から車体重心までの高さ、Ｉは車体のヨー慣性モーメント、ｒ（ｓ）はヨー角、Ｆｆは前輪に加わる横力、Ｆｒは後輪に加わる横力、Ｌｆはホイルベースにおける車体重心と後輪との距離、Ｌｒはホイルベースにおける車体重心と前輪との距離、β（ｓ）は車体スリップ角である。
【００３１】
式（２）においては、以下の式（１００）及び式（１０１）を用いて車体スリップ角β（ｓ）を算出できる。
ｍＶ（ｄβ／ｄt+r）＝Ｆｌ＋Ｆｒ  …（１００）
Ｉｄｒ／ｄｔ＝Ｌｆ・ＦＬ−Ｌｒ・Ｆｒ  …（１０１）
【００３２】
また、タイヤ特性の横力モデルＦｙとして以下の式（１０２）を用いる。
Ｆｙ＝Ｃｐ・β＋μＷ  …（１０２）
式（１０２）において、Ｃｐはタイヤのコーナーリングパワー、Ｗは荷重、μは路面との横方向の摩擦係数である。
【００３３】
式（１）のＡ０〜Ａ６は、次の式（３）〜（９）を演算することにより求めることができる。
Ａ０＝I・m2・Iφ・V  …（３）
Ａ１＝(I・m2・Cφ・V2+2・I・m・Iφ・V・Kf+2・I・m・Iφ・V・Kr+2・m2・Iφ・Kr・Lr2・V+2・I・Cφ・Iφ・V2・m+2・m2・Iφ・Kf・Lf2・V)/V  …（４）
Ａ２＝(Ａ２ａ＋Ａ２ｂ＋Ａ２ｃ＋Ａ２ｄ)/V  …（５）
Ａ３＝(Ａ３ａ＋Ａ３ｂ＋Ａ３ｃ＋Ａ３ｄ＋Ａ３ｅ＋Ａ３ｆ＋Ａ３ｇ＋Ａ３ｈ＋Ａ３ｉ＋Ａ３ｊ)/V  …（６）
Ａ４＝(Ａ４ａ＋Ａ４ｂ＋Ａ４ｃ＋Ａ４ｄ＋Ａ４ｅ＋Ａ４ｆ＋Ａ４ｇ＋Ａ４ｈ＋Ａ４ｉ＋Ａ４ｊ＋Ａ４ｋ＋Ａ４ｌ＋Ａ４ｍ＋Ａ４ｎ)/V  …（７）
Ａ５＝(Ａ５ａ＋Ａ５ｂ＋Ａ５ｃ＋Ａ５ｄ＋Ａ５ｅ＋Ａ５ｆ＋Ａ５ｇ＋Ａ５ｈ＋Ａ５ｉ＋Ａ５ｊ＋Ａ５ｋ＋Ａ５ｌ＋Ａ５ｍ)/V  …（８）
Ａ６＝(Ａ６ａ＋Ａ６ｂ＋Ａ６ｃ＋Ａ６ｄ＋Ａ６ｅ＋Ａ６ｆ)/V  …（９）
【００３４】
式（３）、（４）において、Vは車速、Iφは車両のロール慣性モーメント、Cφは車両のロール減衰係数、Krは後輪タイヤのコーナーリングパワー、Kfは前輪タイヤのコーナーリングパワーである。
【００３５】
式（５）におけるＡ２ａ、Ａ２ｂ、Ａ２ｃ、Ａ２ｄは、次の式（１０）〜（１３）により演算される。
Ａ２ａ＝2・I・m・Cφ・V・Kr-2・m2・Iφ・Kf・Lf・V2+4・I・Cφ・Iφ・V・Kf+4・I・Cφ・Iφ・V・Kr+4・m・Iφ・Kr・Lr2・Kf+4・Cφ・Iφ・Kf・Lf2・m・V  …（１０）
Ａ２ｂ＝2・I・m・Cφ・V・Kf+2・I・m2・L2・kin・V2+2・I・Cφ2・V2・m+8・m・Iφ・Kf・Lf・Kr・Lr+2・m2・Iφ・Kr・Lr・V2+2・m2・Cφ・Kf・Lf2・V  …（１１）
Ａ２ｃ＝2・m2・Cφ・Kf・Lf2・V+2・I・m2・L・h・pr・kin・V2-2・I・m2・L・h・pl・kout・V2+2・I・kout・Iφ・V2・m+2・I・m2・L2・kout・V2  …（１２）
Ａ２ｄ＝4・Cφ・Iφ・Kr・Lr2・m・V+2・m2・Cφ・Kr・Lr2・V+2・I・kin・Iφ・V2・m+4・m・Iφ・Kf・Lf2・Kr  …（１３）
【００３６】
これらの式（１０）〜（１３）において、 kinはサスペンションの旋回内輪側の剛性、koutはサスペンションの旋回外輪側の剛性、prは旋回右輪の横方向μ（路面との摩擦係数）、plは旋回左輪の横方向μである。
【００３７】
式（６）におけるＡ３ａ、Ａ３ｂ、Ａ３ｃ、Ａ３ｄ、Ａ３ｅ、Ａ３ｆ、Ａ３ｇ、Ａ３ｈ、Ａ３ｉ、Ａ３ｊは、次の式（１４）〜（２３）により演算される。
Ａ３ａ＝4・I・Cφ2・V・Kf+4・I・Cφ2・V・Kr+4・m・Cφ・Kf・Lf2・Kr-2・m2・Cφ・Kf・Lf・V2+8・m・Cφ・Kf・Lf・Kr・Lr+4・m・Cφ・Kr・Lr2・Kf  …（１４）
Ａ３ｂ＝2・m2・Cφ・Kr・Lr・V2+4・m2・L2・kout・Kf・Lf2・V+4・m2・L2・kout・Kr・Lr2・V+8・Cφ*Iφ・Kf・Lf2・Kr+4・m2・L2・kin・Kf・Lf2・V  …（１５）
Ａ３ｃ＝4・m2・L2・kin・Kr・Lr2・V-2・m2・L・h・V・pl・kout・Lf・Kr・Lr-2・m2・L・h・pl・kout・Kf・Lf2・V-2・m2・L・h・pl・kout・Kr・Lr2・V  …（１６）
Ａ３ｄ＝2・m2・L・h・pr・kin・Kf・Lf2・V+2・m2・L・h・pr・kin・Kr・Lr2・V+Cφ2・Kf・Lf2・m・V+4・Cφ2・Kr・Lr2・m・V  …（１７）
Ａ３ｅ＝-2・m2・L・h・V・pl・kout・Lr・Kf・Lf+2・m2・L・h・V・pr・kin・Lf・Kr・Lr+2・m2・L・h・V・pr・kin・Lr・Kf・Lf+8・Cφ・Iφ・Kr・Lr2・Kf  …（１８）
Ａ３ｆ＝-4・Cφ・Iφ・Kf・Lf・m・V2+16・Cφ・Iφ・Kf・Lf・Kr・Lr+4・Cφ・Iφ・Kr・Lr・m・V2+4・kout・Iφ・ kf・Lf2・m・V+4・kout・Iφ・Kr・Lr2・m・V  …（１９）
Ａ３ｇ＝4・kin・Iφ・Kf・Lf2・m・V+4・kin・Iφ・Kr・Lr2・m・V+4・I・m・L2・kout・V・Kf+4・I・m・L2・kout・V・Kr+4・I・m・L2・kin・V・Kf  …（２０）
Ａ３ｈ＝4・I・m・L2・kin・V・Kr+4・I・Cφ・L2・kout・V2・m-4・I・Cφ・L・h・pl・kout・V2・m+4・I・Cφ・L・h・pr・kin・V2・m  …（２１）
Ａ３ｉ＝4・I・Cφ・L2・kin・V2・m+4・I・kout・Iφ・V・Kf+4・I・kout・Iφ・V・Kr+2・I・kout・Kr・V2・m  …（２２）
Ａ３ｊ＝4・I・kin・Iφ・V・Kf+4・I・kin・Iφ・V・Kr+2・I・kin・Cφ・V2・m  …（２３）
【００３８】
式（７）におけるＡ４ａ、Ａ４ｂ、Ａ４ｃ、Ａ４ｄ、Ａ４ｅ、Ａ４ｆ、Ａ４ｇ、Ａ４ｈ、Ａ４ｉ、Ａ４ｊ、Ａ４ｋ、Ａ４ｌ、Ａ４ｍ、Ａ４ｎは、次の式（２４）〜（３７）により演算される。
Ａ４ａ＝8・Cφ2・Kf・Lf2・Kr+8・Cφ2・Kr・Lr2・Kf+8・m・L2・kout・Kf・Lf2・Kr+8・m・L2・kout・Kr・Lr2・Kf-4・m2・L2・kin・Kf・Lf・V2  …（２４）
Ａ４ｂ＝4・m2・L2・kout・Kf・Lf・V2+16・m・L2・kout・Kf・Lf・Kr・Lr+4・m2・L2・kout・Kr・Lr・V2+8・m・L2・kin・Kf・Lf2・Kr  …（２５）
Ａ４ｃ＝8・m・L2・kin・Kr・Lr2・Kf-2・m2・L・h・pr・kin・Kf・Lf・V2+2・m2・L・h・pr・ Kin・Kr・Lr・V2-2・m2・L・h・V2・pl・kout・Lf・Kr  …（２６）
Ａ４ｄ＝2・m2・L・h・V2・pl・kout・Lr・Kf+16・m・L2・kin・Kf・Lf・Kr・Lr+4・m2・L2・kin・Kr・Lr・V2+2・m2・L・h・pl・kout・Kf・Lf・V2  …（２７）
Ａ４ｅ＝-2・m2・L・h・pl・kout・Kr・Lr・V2-4・Cφ2・Kf・Lf・m・V2+16・Cφ2・Kf・Lf・Kr・Lr+4・Cφ2・Kr・Lr・m・V2+8・Cφ・L2・kout・Kf・Lf2・m・V  …（２８）
Ａ４ｆ＝8・Cφ・L2・kout・Kr・Lr2・m・V+2・m2・L・h・V2・pr・kin・Lf・Kr-2・m2・L・h・V2・pr・kin・Lr・Kf-4・Cφ・L・h・pl・kout・Kf・Lf2・m・V  …（２９）
Ａ４ｇ＝-4・Cφ・L・h・pl・kout・Kr・Lr2・m・V+4・Cφ・L・h・pr・kin・Kf・Lf2・m・V+4・Cφ・L・h・pr・kin・Kr・Lr2・m・V+8・Cφ・L2・Kin・Kf・Lf2・m・V  …（３０）
Ａ４ｈ＝8・Cφ・L2・kin・Kr・Lr2・m・V+8・kout・Iφ・Kf・Lf2・Kr+8・kout・Iφ・Kr・Lr2・Kf-4・kout・Iφ・Kf・Lf・m・V2+16・kout・Iφ・Kf・Lf・Kr・Lr  …（３１）
Ａ４ｉ＝4・kout・Iφ・Kr・Lr・m・V2+4・kout・Cφ・Kf・Lf2・m・V+4・kout・Cφ・Kr・Lr2・m・V-4・Cφ・L・h・m・V・pl・kout・Lf・Kr・Lr  …（３２）
Ａ４ｊ＝-4・Cφ・L・h・m・V・pl・kout・Lr・Kf・Lf+4・Cφ・L・h・m・V・pr・kin・Lf・Kr・Lr+4・Cφ・L・h・m・V・pr・kin・Lr・Kf・Lf+8・kin・Iφ・Kf・Lf2・Kr  …（３３）
Ａ４ｋ＝8・kin・Iφ・Kr・Lr2・Kf-4・kin・Iφ・Kf・Lf・m・V2+16・kin・Iφ・Kf・Lf・Kr・Lr+4・kin・Iφ・Kr・Lr・m・V2+4・kin・Cφ・Kf・Lf2・m・V  …（３４）
Ａ４ｌ＝4・kin・Cφ・Kr・Lr2・m・V+8・I・Cφ・L2・kout・V・Kf+8・I・Cφ・L2・kout・V・Kr+8・I・Cφ・L2・kin・V・Kf+8・I・Cφ・L2・kin・V・Kr  …（３５）
Ａ４ｍ＝4・I・kout・Cφ・V・Kf+4・I・kout・Cφ・V・Kr+4・I・L2・kout2・V2・m+4・I・L2・kin2・V2・m+4・I・kin・Cφ・V・Kf+4・I・kin・Cφ・V・Kr  …（３６）
Ａ４ｎ＝-8・I・kin・L・h・pl・kout・V2・m+8・I・kout・L2・kin・V2・m+8・I・kout・L・h・pr・kin・V2・m  …（３７）
【００３９】
式（８）におけるＡ５ａ、Ａ５ｂ、Ａ５ｃ、Ａ５ｄ、Ａ５ｅ、Ａ５ｆ、Ａ５ｇ、Ａ５ｈ、Ａ５ｉ、Ａ５ｊ、Ａ５ｋ、Ａ５ｌ、Ａ５ｍは、次の式（３８）〜（５０）により演算される。
Ａ５ａ＝16・Cφ・L2・kout・Kf・Lf2・Kr+16・Cφ・L2・kout・Kr・Lr2・Kf+32・Cφ・L2・kin・Kf・Lf・Kr・Lr+8・Cφ・L2・kin・Kr・Lr・m・V2  …（３８）
Ａ５ｂ＝4・Cφ・L・h・pl・kout・Kf・Lf・m・V2-4・Cφ・L・h・pl・kout・Kr・Lr・m・V2-8・Cφ・L2・kout・Kf・Lf・m・V2+32・Cφ・L2・kout・Kf・Lf・Kr・Lr  …（３９）
Ａ５ｃ＝8・Cφ・L2・kout・Kr・Lr・m・V2+16・Cφ・L2・kin・Kf・Lf2・Kr+16・Cφ・L2・kin・Kr・Lr2・Kf-8・Cφ・L2・kin・Kf・Lf・m・V2  …（４０）
Ａ５ｄ＝8・kout・Cφ・Kf・Lf2・Kr+8・kout・Cφ・Kr・Lr2・Kf-4・kout・Cφ・Kf・Lf・m・V2+16・kout・Cφ・Kf・Lf・Kr・Lr+4・kout・Cφ・Kr・Lr・m・V2  …（４１）
Ａ５ｅ＝-4・Cφ・L・h・pr・kin・Kf・Lf・m・V2+4・Cφ・L・h・pr・kin・Kr・Lr・V2-4・Cφ・L・h・m・V2・pl・kout・Lf・Kr  …（４２）
Ａ５ｆ＝4・Cφ・L・h・m・V2・pl・kout・Lr・Kf+4・Cφ・L・h・m・V2・pr・kin・Lf・Kr-4・Cφ・L・h・m・V2・pr・kin・Lr・Kf  …（４３）
Ａ５ｇ＝8・L2・kout2・Kf・Lf2・m・V+8・L2・kout2・Kr・Lr2・m・V+8・L2・kin2・Kf・Lf2・m・V+8・L2・kin2・Kr・Lr2・m・V  …（４４）
Ａ５ｈ＝-4・kin・Cφ・Kf・Lf・m・V2+16・kin・Cφ・Kf・Lf・Kr・Lr+4・kin・Cφ・Kr・Lr・m・V2-8・kin・L・h・pl・kout・Kf・Lf2・m・V  …（４５）
Ａ５ｉ＝-8・kin・L・h・pl・kout・Kr・Lr2・m・V-8・kin・L・h・m・V・pl・kout・Lf・Kr・Lr-8・kin・L・h・m・V・pl・kout・Lr・Kf・Lf  …（４６）
Ａ５ｊ＝16・kout・L2・kin・Kf・Lf2・m・V+16・kout・L2・kin・Kr・Lr2・m・V+8・kout・L・h・pr・kin・Kf・Lf2・m・V  …（４７）
Ａ５ｋ＝8・kout・L・h・pr・kin・Kr・Lr2・m・V+8・kout・L・h・m・V・pr・kin・Lf・Kr・Lr+8・kout・L・h・m・V・pr・kin・Lr・Kf・Lf  …（４８）
Ａ５ｌ＝8・kin・Cφ・Kf・Lf2・Kr+8・kin・Cφ・Kr・Lr2・Kf+8・I・L2・kout2・V・Kf+8・I・L2・kout2・V・Kr  …（４９）
Ａ５ｍ＝8・I・L2・kin2・V・Kf+8・I・L2・kin2・V・Kr+16・I・kout・L2・kin・V・Kf+16・I・kout・L2・kin・V・Kr  …（５０）
【００４０】
式（９）におけるＡ６ａ、Ａ６ｂ、Ａ６ｃ、Ａ６ｄ、Ａ６ｅ、Ａ６ｆは、次の式（５１）〜（５６）により演算される。
Ａ６ａ＝32・L2・kin2・Kf・Lf・Kr・Lr+8・kin・L・h・m・V2・pl・kout・Lr・Kf-8・L2・kout2・Kf・Lf・m・V2+32・L2・kout2・Kf・Lf・Kr・Lr  …（５１）
Ａ６ｂ＝8・L2・kout2・Kr・Lr・m・V2+16・kout・L2・kin・Kr・Lr・m・V2+16・L2・kin2・Kf・Lf2・Kr+8・kin・L・h・pl・kout・Kf・Lf・m・V2  …（５２）
Ａ６ｃ＝16・L2・kin2・Kr・Lr2・Kf+8・kout・L・h・pr・kin・Kr・Lr・m・V2+8・kout・L・h・m・V2・pr・kin・Lf・Kr+32・kout・L2・kin・Kf・Lf2・Kr  …（５３）
Ａ６ｄ＝-8・L2・kin2・Kf・Lf・m・V2-8・kin・L・h・m・V2・pl・kout・Lf・Kr+8・L2・kin2・Kr・Lr・m・V2+16・L2・kout2・Kr・Lr2・Kf  …（５４）
Ａ６ｅ＝-16・kout・L2・kin・Kf・Lf・m・V2+64・kout・L2・kin・Kf・Lf・Kr・Lr-8・kout・L・h・pr・kin・Kf・Lf・m・V2  …（５５）
Ａ６ｆ＝-8・kin・L・h・pl・kout・Kr・Lr・m・V2+32・kout・L2・kin・Kr・Lr2・Kf-8・kout・L・h・m・V2・pr・kin・Lr・Kf+16・L2・kout2・Kf・Lf2・Kr  …（５６）
【００４１】
式（３）〜（５６）において、Iは、車両のヨー慣性モーメントとしてＥＣＵ２に予め設定されるものが用いられる。mは、車両の質量としてＥＣＵ２に予め設定されるものが用いられる。hは、車両の高さとしてＥＣＵ２に予め設定されるものが用いられる。L、Lr及びLfは、車両のホイルベースとしてＥＣＵ２に予め設定されるものが用いられる。また、Vは、車速センサ３の検出値を読み込んだ車速値が用いられる。
【００４２】
Iφは、設計値として予め読み込んでおいた値が用いられる。Cφは、アブソーバ減衰マップ（ストローク速度−減衰力）の傾きが用いられる。ストローク速度は、車両のロール角速度に前後トレッド平均値の１／２の値を乗じて算出される。Kfは、単体特性値としてマップや式により予め組み込んでおいたものが用いられる。Krは、単体特性値としてマップや式により予め組み込んでおいたものが用いられる。koutは、ストローク−剛性マップにより読み取った値が用いられる。ストロークは、車両のロール角に前後トレッド平均値の１／２の値を乗じて算出される。kinは、ストローク−剛性マップにより読み取った値が用いられる。
【００４３】
plは、横方向μ−接地荷重タイヤ単体マップから読み取った値が用いられる。外輪時の接地荷重Ｗoutは、koutにストロークを乗じた値に対し静止時一輪荷重Ｗ０を加えて算出される。また、内輪時の接地荷重Ｗinは、kinにストロークを乗じた値から静止時一輪荷重Ｗ０を減じて算出される。prは、横方向μ−接地荷重タイヤ単体マップから読み取った値が用いられる。
【００４４】
Ｓ１０６にてロール振動判定式を演算し終えたら、ロール振動判定式の根の算出処理が行われる（Ｓ１０８）。例えば、式（１）がｓについて解かれ、六つの根が算出される。そして、Ｓ１１０に移行し、ロール振動判定式の根における実部が全て負であるか否かが判断される。ロール振動判定式の根における実部が全て負である場合には、ロール振動が発散（増大化）するおそれがないと判断され、車両挙動安定処理の後、一連の制御処理を終了する。（Ｓ１１２）。
【００４５】
一方、Ｓ１１０にてロール振動判定式の根における実部に正のものがある場合には、ロール振動が発散するおそれがあると判断され、ロール振動抑制制御処理が行われる（Ｓ１１２）。このロール振動抑制制御処理は、車両のロール振動を抑制するように、車輪に加えるブレーキ圧を調整する処理である。図５は、ブレーキ圧の調整の一例を示す図である。この図５において、横軸は式（１）で算出した根の実部の絶対値であり、縦軸はブレーキ圧である。また、Ｐoutは車両の外輪に加えるブレーキ圧、Ｐinは車両の内輪に加えるブレーキ圧である。
【００４６】
図５に示すように、ロール振動抑制制御処理において、ＶＳＣ制御部１０は、Ｐinを一定値に保ちつつ、根の実部の絶対値に比例するようにＰoutを一定の傾きで増大させ、内輪の横力Ｆinよりも外輪の横力Ｆoutを減少させる。これにより、車両と路面との横方向μが低下し、車両の横滑りが生じるため、ロール振動時に車両の外輪側で発生する上下方向の運動エネルギーを、車両が旋回外側にシフトする方向の運動エネルギーに変換することが可能となり、ロール振動が効果的に抑制される。なお、図５に示す例では、横方向μが一定値以上残るように、Ｐoutの上限値が定められている。ロール振動抑制制御処理を終えたら、一連の制御処理を終了する。
【００４７】
以上のように、車両挙動制御装置１では、車両のロール角、ヨー角、横力、上下変位に基づいて車両におけるロール振動の発生の有無を判断することにより、車両のロール方向、ヨー方向、横方向及び上下方向の４自由度運動の連成により生ずる旋回中のロール振動発散現象の発生を精度良く予測することができる。そして、この車両挙動制御装置１では、ロール振動の発生を検出した場合、内輪のブレーキ圧Ｐinよりも外輪のブレーキ圧Ｐoutを増大させることにより、外輪の横力Ｆoutを内輪の横力Ｆinよりも減少させる。
【００４８】
これにより、車両と路面との横方向μが低下し、車両の横滑りが生じるため、ロール振動時に車両の外輪側で発生する上下方向の運動エネルギーを、車両が旋回外側にシフトする方向の運動エネルギーに変換することが可能となり、ロール振動が効果的に抑制される。また、横力の制御にあたり、普及率の高まっているＶＳＣ制御部１０による各車輪のブレーキ圧制御を用いることで、高い応答性を確保しつつ、制御手段の複雑化を回避し、車両の製造コスト低減を実現できる。
【００４９】
上述した実施形態では、ロール振動抑制制御処理において、内輪のブレーキ圧Ｐinよりも外輪のブレーキ圧Ｐoutを増大させることで、内輪の横力Ｆinよりも外輪の横力Ｆoutを減少させているが、これに代えて、後輪のブレーキ圧Ｐrよりも前輪のブレーキ圧Ｐlを増大させることで、後輪の横力Ｆrよりも前輪の横力Ｆlの横力を減少させるようにしてもよい。この場合、車両のアンダーステアリング特性が高められ、車両と路面との横方向μを低下させることができるので、上述した実施形態と同様の作用効果が得られる。
【００５０】
なお、外輪・内輪のブレーキ圧制御と、前輪・後輪のブレーキ圧制御とを併用することも可能であるが、この場合には、外輪・内輪の横方向μ比と前輪・後輪の横方向μ比とが最適化されるように、各車輪のブレーキ圧を適宜調整することが好ましい。
【００５１】
（第２実施形態）
続いて、本発明の第２実施形態に係る車両挙動制御装置について説明する。本実施形態に係る車両挙動制御装置１ａは、第１実施形態に係る車両挙動制御装置１と同様なハード構成を有し、同様な制御処理を実行するものであるが、ロール振動抑制制御処理及び車両挙動安定処理において車輪の操舵角を制御する点で、車輪のブレーキ圧を制御する第１実施形態と異なっている。
【００５２】
図６に示すように、車両挙動制御装置１ａのＥＣＵ２には、ＶＳＣ制御部１０に代えて、四輪操舵制御部２０が接続されている。四輪操舵制御部２０は、車両の四輪を独立して操舵制御可能とした制御ユニットであり、例えば四輪操舵制御用ＥＣＵが用いられる。四輪操舵制御部２０は、ＥＣＵ２からの作動制御信号を受けて、各車輪の操舵角を調整する。
【００５３】
次に、車両挙動制御装置１ａの動作について、図７に示すフローチャートを参照しながら説明する。図７における一連の制御処理は、ＥＣＵ２によって所定の周期で繰り返し実行される。
【００５４】
図７に示すように、車両挙動制御装置１ａでは、第１実施形態のＳ１００〜Ｓ１１０と同様の手順で、センサ検出値の読み込み（Ｓ２００）、旋回上下ＧがＧｚ以下であるか否かの判断（Ｓ２０２）、旋回横ＧがＬＡ以下であるか否かの判断（Ｓ２０４）、ロール振動判定式の演算（Ｓ２０６）、ロール振動判定式の根の演算（Ｓ２０８）、全ての根の実部が負であるか否かの判断（Ｓ２１０）がなされる。
【００５５】
Ｓ２１０において、ロール振動判定式の根における実部に正のものがある場合には、ロール振動抑制制御処理が行われる（Ｓ２１２）。ここでのロール振動抑制制御処理は、車両のロール振動を抑制するように、車輪の操舵角を調整する処理である。図８は、ロール量と操舵角の調整量との関係の一例を示す図である。図８（ａ）及び図８（ｂ）において、横軸はいずれも時間である。また、図８（ａ）の縦軸はロール量であり、図８（ｂ）の縦軸は操舵角である。θoutは、車両の外輪の操舵角、θinは、車両の内輪の操舵角である。
【００５６】
図８（ａ）及び図８（ｂ）に示すように、ロール振動抑制制御処理において、四輪操舵制御部２０は、時刻Ｔ０でロール振動の発生が判定されると、この時刻Ｔ０からロール振動が抑制されたと判断された時刻Ｔ１に至るまでの間、θout＝θ−θ１とし、外輪の操舵角θoutを内輪の操舵角θinよりも減少させることによって車両と路面との横方向μを低下させる。
【００５７】
一方、車両挙動安定処理においては、上記の一連の制御処理が繰り返される中で、ロール振動が抑制されたと判断された時刻Ｔ１からの経過時刻がＴro以下であるか否かの判断がなされる（Ｓ２１４）。Ｔroは、予めＥＣＵ２に設定される設定値である。Ｓ２１４において、経過時刻がＴroを超えていると判断された場合、車両挙動が安定していることを記録する処理の後、一連の処理を終了する。Ｓ２１４において、経過時刻がＴro以下であると判断された場合、四輪操舵制御部２０は、図８（ｂ）に示すように、ロール振動が抑制されたと判断された時刻Ｔ１から時刻Ｔroに至るまでの間、θout＝θ−θ１（１−Ｔ／Ｔro）とし、内輪の操舵角θinと同じ角度になるまで外輪の操舵角θoutを緩やかに増大させる。
【００５８】
このような車両挙動制御装置１ａにおいても、上述した第１実施形態に係る車両挙動制御装置１と同様の作用効果を得ることができる。また、車両挙動制御装置１ａでは、ロール振動を抑制する処理を行った後、外輪の操舵角θoutを急激に元の値に戻すのではなく、時刻Ｔroが経過するまでの間、外輪の操舵角θoutが緩やかに元の値に復帰するように制御するので、ロール振動の再発を抑止することが可能となる。
【００５９】
（第３実施形態）
続いて、本発明の第３実施形態に係る車両挙動制御装置について説明する。本実施形態に係る車両挙動制御装置は、第１実施形態に係る車両挙動制御装置１と同様なハード構成を有し、同様な制御処理を実行するものであるが、ロール振動の発生の有無の判断に関し、上下とロールの練成運動を係数励振する振り子運動として擬制した２自由度モデルを用いる点で、車両の上下変位、ロール角、ヨー角、横力に基づく４自由度モデルを用いる第１実施形態と異なっている。
【００６０】
本実施形態に係る車両挙動制御装置の動作について、図９に示すフローチャートを参照しながら説明する。図９における一連の制御処理は、ＥＣＵ２により所定の周期で繰り返し実行される。
【００６１】
図９に示すように、この車両挙動制御装置では、第１実施形態のＳ１００〜Ｓ１１０と同様の手順で、センサ検出値の読み込み（Ｓ３００）、旋回上下ＧがＧｚ以下であるか否かの判断（Ｓ３０２）、旋回横ＧがＬＡ以下であるか否かの判断（Ｓ３０４）がなされる。Ｓ３０４において、横加速度がＬＡ以下であると判断された場合には、車両挙動安定処理（Ｓ３１２）の後、一連の制御処理を終了する。
【００６２】
Ｓ３０２において上下加速度がＧｚを超えていると判断された場合、或いは、Ｓ３０４において横加速度がＬＡを超えていると判断された場合には、２自由度の係数励振運動の式の演算処理により、（Ａ，Ｑ）座標値の算出が行われる（Ｓ３０６）。この係数励振運動の式は、車両の重心高さと角速度に基づいて設定される式であり、以下の式（２００）が用いられる。
【数２】
2008012965.tif 000004
式（２００）において、ｈは車両の重心高さであり、ωは上下加速度の時系列波形から演算される角速度である。また、φはロール角である。
【００６３】
また、（Ａ，Ｑ）座標値の算出には、以下の式（２０１）及び式（２０２）が用いられる。
Ａ＝ω０２＝sqrt（ｇ／ｈ）  …（２０１）
Ｑ＝ａ／２ｈ・ω２  …（２０２）
式（２０１）及び式（２０２）において、ａは上下加速度の振幅であり、ｇは重力加速度である。
【００６４】
Ｓ３０６において、（Ａ，Ｑ）座標値の算出を終えたら、この（Ａ，Ｑ）座標値に基づいて、安定判別マップの参照がなされる（Ｓ３０８）。ここで、図１０は、安定判別マップの一例を示す図である。図１０において、安定判別マップは、横軸がＱ値として設定され、縦軸がＡ値として設定された座標系として構築されている。そして、この安定判別マップには、振幅ａをΔａ刻みとし、角速度ωをΔω刻みとして（Ａ，Ｑ）座標値をプロットすることにより、ロール振動が発散するおそれがないと判断される安定領域、及びロール振動が発散するおそれがあると判断される不安定領域の２つの領域が予め設定されている。
【００６５】
そして、Ｓ３０６で算出された（Ａ，Ｑ）座標値が安定領域に存在するが否かが判断され（Ｓ３１０）、（Ａ，Ｑ）座標値が安定領域に存在すると判断された場合には、車両挙動安定処理の後、一連の制御処理を終了する（Ｓ３１２）。一方、（Ａ，Ｑ）座標値が安定領域に存在しないと判断された場合には、ロール振動抑制制御処理がなされる（Ｓ３１４）。すなわち、第１実施形態又は第２実施形態と同様に、車両の内輪の横力Ｆinよりも外輪の横力Foutが減少するように車輪のブレーキ圧又は操舵角が調整され、ロール振動の発生が抑制される。ロール振動制御処理（Ｓ３１４）の後、一連の制御処理を終了する。
【００６６】
このように、本実施形態に係る車両挙動制御装置では、車両の重心高さ及び角速度によって算出される（Ａ，Ｑ）座標値に基づく安定判別マップの参照により、簡易な振動モデルでロール振動の発生の有無を判断する。このため、４自由度運動方程式における６次の特性方程式を解く場合と比較して制御ロジックの簡易化を図ることができ、車両の製造コストの更なる低減を実現する。
【００６７】
上述した実施形態は、本発明に係る車両挙動制御装置の一例を示すものである。本発明に係る車両挙動制御装置は、このようなものに限られるものではなく、各請求項に記載した要旨を変更しないものであれば、実施形態に係る車両挙動制御装置を変形し、又は他のものに適用したものであってもよい。また、上述した各実施形態において、各車輪へのブレーキ圧、操舵角といったパラメータの制御量は、ロール振動の程度に応じて適宜変更してもよい。
【図面の簡単な説明】
【００６８】
【図１】本発明の第１実施形態に係る車両挙動制御装置の構成を示す図である。
【図２】車両のロール運動及び上下運動の説明図である。
【図３】車両の横運動及びヨー運動の説明図である。
【図４】図１に示した車両挙動制御装置の動作を示すフローチャートである。
【図５】ロール振動抑制制御処理における各車輪のブレーキ圧の一例を示す図である。
【図６】本発明の第２実施形態に係る車両挙動制御装置の構成を示す図である。
【図７】図６に示した車両挙動制御装置の動作を示すフローチャートである。
【図８】ロール振動抑制制御処理における各車輪の操舵角の一例を示す図である。
【図９】本発明の第３実施形態に係る車両挙動制御装置の動作を示すフローチャートである。
【図１０】安定判別マップの一例を示す図である。
【符号の説明】
【００６９】
１，１ａ…車両挙動制御装置、２…ＥＣＵ、３…車速センサ、４…操舵角センサ、５…横加速度センサ、６…ヨーレイトセンサ、７…ロール角センサ、８…上下加速度センサ、１０…ＶＳＣ制御部、２０…四輪操舵制御部。
【図１】
2008012965.tif 000005
【図２】
2008012965.tif 000006
【図３】
2008012965.tif 000007
【図４】
2008012965.tif 000008
【図５】
2008012965.tif 000009
【図６】
2008012965.tif 000010
【図７】
2008012965.tif 000011
【図８】
2008012965.tif 000012
【図９】
2008012965.tif 000013
【図１０】
2008012965.tif 000014